(57)【要約】【課題】サイトに置かれたコンテンツの主従関係、リンク状態等により表されるコンテンツの総合的な管理状態を認識容易とし得るシステム及びプログラムを提供する。【解決手段】本発明のサイト管理システムによれば、第１処理ユニット１１１が、ウェブサーバ（第１システム）２０との通信に基づき、所定の規則に従ってコンテンツの「階位」を認識する。また、第２処理ユニット１１２が、ウェブサーバ（第２システム）２０との通信に基づき、コンテンツの「リンク状態」を認識する。そして、複数のコンテンツについて第１処理ユニット１１１により認識された階位が相違し、且つ、第２処理ユニット１１２によりリンク又はリンク経路があると認識された場合、画像制御手段が、上位コンテンツを表す上位アイコンに、下位コンテンツを表す下位アイコンが含まれている画像を画像表示装置に表示させる。【選択図】  図１
2005293254.tif 000002
【特許請求の範囲】
【請求項１】
ネットワーク上で閲覧可能なコンテンツが置かれているサイトを管理するシステムであって、
コンテンツが管理されている第１システムとの通信に基づき、コンテンツの階位を認識する第１処理手段と、
コンテンツが管理されている第２システムとの通信に基づき、該コンテンツのリンク状態を認識する第２処理手段と、
複数のコンテンツについて第１処理手段により認識された階位が相違し、且つ、第２処理手段によりリンク経路があることがリンク状態として認識された場合、上位コンテンツを表す上位アイコンに、下位コンテンツを表す下位アイコンが含まれている画像を画像表示装置に表示させる画像制御手段とを備えていることを特徴とするサイト管理システム。
【請求項２】
第１処理手段が、上位ディレクトリ内のコンテンツの階位が、該上位ディレクトリに従属する下位ディレクトリ内のコンテンツの階位よりも上位であり、且つ、ディレクトリの代表コンテンツの階位が、該ディレクトリ内の他のコンテンツの階位より上位であるという規則に従ってコンテンツの階位を認識することを特徴とする請求項１記載のサイト管理システム。
【請求項３】
コンテンツへのアクセス履歴を特定するアクセスログ情報が管理されている第３システムとの通信に基づき、コンテンツのアクセス頻度を認識する第３処理手段を備え、
前記画像制御手段が、第３処理手段により認識されたアクセス頻度が高いコンテンツを表すアイコンを優先的に前記画像表示装置に表示させることを特徴とする請求項１又は２記載のサイト管理システム。
【請求項４】
前記画像制御手段が、前記画像表示装置に表示されているアイコンの指定操作が可能な操作用手段との通信に基づき、該操作用手段の操作を通じた指定アイコンを認識するとともに、該指定アイコンにより表されているコンテンツとのリンク経路があるコンテンツを表すアイコンを優先的に前記画像表示装置に表示させることを特徴とする請求項１、２又は３記載のサイト管理システム。
【請求項５】
ネットワーク上で閲覧可能なコンテンツが置かれているサイトを管理する機能を任意のコンピュータに付与するプログラムであって、
コンテンツが管理されている第１システムとの通信に基づき、コンテンツの階位を認識する第１処理機能と、
コンテンツが管理されている第２システムとの通信に基づき、該コンテンツのリンク状態を認識する第２処理機能と、
複数のコンテンツについて第１処理機能により認識された階位が相違し、且つ、第２処理機能によりリンク状態としてリンク経路があると認識された場合、上位コンテンツを表す上位アイコンに、下位コンテンツを表す下位アイコンが含まれている画像を画像表示装置に表示させる画像制御機能とを、インストール先のコンピュータに付与することを特徴とするサイト管理プログラム。
【発明の詳細な説明】
【技術分野】
【０００１】
本発明は、ネットワーク上で閲覧可能なコンテンツが置かれているサイトを管理するシステムに関する。また、本発明は、ネットワーク上で閲覧可能なコンテンツが置かれているサイトを管理する機能を任意の情報処理端末に付与するプログラムに関する。
【背景技術】
【０００２】
サイト（ウェブサイト）の管理者にとって、サイトにどのようなコンテンツを置くかとか、複数のコンテンツをどのようにリンクさせるかは重要な関心事項である。
【０００３】
そこで、従来、サイト管理を支援するため、ウェブページ等のコンテンツへのユーザによるアクセス履歴を特定するアクセスログ情報を解析する手法が提案されている（例えば、特許文献１、２参照）。当該手法によれば、例えば、ユーザの情報処理端末に時系列的に記憶されたアクセスログ情報が、この情報処理端末からサーバに送信された上で解析される。そして、当該解析情報が表示されることにより、サイトや、サイトに置かれているコンテンツのユーザによる利用頻度等が把握可能となる。
【特許文献１】特開平１１−１２００３７号公報  ００１１〜００２５段落、図４、図５
【特許文献２】特開２０００２−３２８８６３号公報  ００４８〜００５２段落、図１００〜１２
【発明の開示】
【発明が解決しようとする課題】
【０００４】
しかし、前記手法のようにアクセスログ情報が解析されるだけでは、コンテンツのリンク状態が把握しきれない。すなわち、アクセスログ情報によれば、例えば、ユーザがコンテンツＡからコンテンツＢに移動したことは把握されるが、コンテンツＡ及びコンテンツＢがリンクされているか否かは完全には把握され得ない。また、アクセスログ情報によれば、アクセスログ情報に含まれないコンテンツの存在や、当該コンテンツの上下関係（主従関係）やリンク状態は把握され得ない。
【０００５】
これでは、コンテンツの変更・削除等の要否や、コンテンツの主従関係やリンク状態の修正の要否が検討され得ず、サイトの管理方針が適切に決定され得ない。
【０００６】
そこで、本発明は、サイトに置かれたコンテンツの主従関係、リンク状態等により表されるコンテンツの総合的な管理状態を認識容易とし得るシステム及びプログラムを提供することを解決課題とする。
【課題を解決するための手段】
【０００７】
前記課題を解決するための本発明のサイト管理システムは、コンテンツが管理されている第１システムとの通信に基づき、コンテンツの階位を認識する第１処理手段と、コンテンツが管理されている第２システムとの通信に基づき、該コンテンツのリンク状態を認識する第２処理手段と、複数のコンテンツについて第１処理手段により認識された階位が相違し、且つ、第２処理手段によりリンク経路があることがリンク状態として認識された場合、上位コンテンツを表す上位アイコンに、下位コンテンツを表す下位アイコンが含まれている画像を画像表示装置に表示させる画像制御手段とを備えていることを特徴とする。
【０００８】
本発明のサイト管理システムによれば、第１処理手段が、コンテンツが管理されている第１システムとの通信に基づき、コンテンツの「階位」を認識する。また、第２処理手段が、コンテンツが管理されている第２システムとの通信に基づき、コンテンツの「リンク状態」を認識する。そして、複数のコンテンツについて第１処理手段により認識された階位が相違し、且つ、第２処理手段によりリンク経路があると認識された場合、画像制御手段が、上位コンテンツを表す上位アイコンに、下位コンテンツを表す下位アイコンが含まれている画像を画像表示装置に表示させる。
【０００９】
上位アイコンに下位アイコンが含まれている画像により、上位アイコンにより表されているコンテンツが、下位アイコンにより表されているコンテンツよりも上位であり、且つ、当該上位コンテンツ及び下位コンテンツにリンク経路があることをユーザにその視覚を通じて把握させることができる。
【００１０】
従って、本発明のサイト管理システムによれば、ユーザは、サイトに置かれたコンテンツの「階位」及び「リンク状態」により表されるコンテンツの総合的な状態を容易に把握することができる。
【００１１】
なお「リンク経路」には、単独のリンクのほかリンクの連鎖が含まれる。また、第１システム及び第２システムは共通のシステムであってもよい。
【００１２】
本発明の構成要素であるＸが、Ｙとの通信に基づきＺを認識するとは、ＸがＹからＺを特定するデータを受信することや、ＸがＹからの受信データに基づきＺを決定、推定、測定したり、Ｙからの受信データに基づきデータベース等からＺを検索すること等を意味する。第１システム及び第２システムは本発明のコンテンツ管理システムとは別個のものであってもよく、本発明のコンテンツ管理システムに包含されていてもよい。
【００１３】
また、Ｘ及びＹがともに同一の情報処理端末等の装置の構成要素である場合、Ｘ及びＹの通信はこの装置内での通信を意味する。その一方、Ｘ及びＹがインターネット等のネットワークを介して通信可能に接続された別個の装置の構成要素である場合、Ｘ及びＹの通信とは、Ｘを構成要素とする装置と、Ｙを構成要素とする装置との当該ネットワークを介した通信を意味する。
【００１４】
さらに、本発明の構成要素であるＶが画像を画像表示装置に表示させるとは、Ｖが、Ｖを構成要素とする情報処理端末等の装置が有する画像表示装置に画像を表示させることや、Ｖが、画像データ、さらには必要に応じて画像表示用プログラムを、Ｖを構成要素とする装置とは別の装置にネットワークを介して送信し、当該別の装置が有する画像表示装置に画像を表示させること等を意味する。
【００１５】
また、本発明のサイト管理システムは、第１処理手段が、上位ディレクトリ内のコンテンツの階位が、該上位ディレクトリに従属する下位ディレクトリ内のコンテンツの階位よりも上位であり、且つ、ディレクトリの代表コンテンツの階位が、該ディレクトリ内の他のコンテンツの階位より上位であるという規則に従ってコンテンツの階位を認識することを特徴とする。
【００１６】
本発明によれば、ディレクトリの階位、代表コンテンツ及び非代表コンテンツの別に応じて、コンテンツの階位が認識される。このため、画像表示装置に表示されるアイコンの包含関係を通じて、アイコンにより表されているコンテンツの属するディレクトリの階位等をユーザに視覚的に把握させることができる。
【００１７】
また、本発明のサイト管理システムは、コンテンツへのアクセス履歴を特定するアクセスログ情報が管理されている第３システムとの通信に基づき、コンテンツのアクセス頻度を認識する第３処理手段を備え、前記画像制御手段が、第３処理手段により認識されたアクセス頻度が高いコンテンツを表すアイコンを優先的に前記画像表示装置に表示させることを特徴とする。
【００１８】
本発明のサイト管理システムによれば、第３処理手段が、第３システムとの通信に基づき、コンテンツのアクセス頻度を認識する。また、画像制御手段が、第３処理手段により認識されたアクセス頻度が高いコンテンツを表すアイコンを優先的に画像表示装置に表示させる。
【００１９】
これにより、ユーザは、画像表示装置を通じてアクセス頻度が高いコンテンツを把握することができる。
【００２０】
さらに、本発明のサイト管理システムは、前記画像制御手段が、前記画像表示装置に表示されているアイコンの指定操作が可能な操作用手段との通信に基づき、該操作用手段の操作を通じた指定アイコンを認識するとともに、該指定アイコンにより表されているコンテンツとのリンク経路があるコンテンツを表すアイコンを優先的に前記画像表示装置に表示させることを特徴とする。
【００２１】
本発明のサイト管理システムによれば、ユーザは、操作用手段を通じて画像表示装置に表示されているアイコンを指定することで、当該指定アイコンにより表されているコンテンツとのリンク経路があるコンテンツがどれであるかを把握することができる。
【００２２】
前記課題を解決するための本発明のサイト管理プログラムは、コンテンツが管理されている第１システムとの通信に基づき、コンテンツの階位を認識する第１処理機能と、コンテンツが管理されている第２システムとの通信に基づき、該コンテンツのリンク状態を認識する第２処理機能と、複数のコンテンツについて第１処理機能により認識された階位が相違し、且つ、第２処理機能によりリンク状態としてリンク経路があると認識された場合、上位コンテンツを表す上位アイコンに、下位コンテンツを表す下位アイコンが含まれている画像を画像表示装置に表示させる画像制御機能とを、インストール先の情報処理端末に付与することを特徴とする。
【００２３】
本発明のサイト管理プログラムによれば、前記サイト管理システムと同様に、ユーザは、サイトに置かれたコンテンツの「階位」及び「リンク状態」により表されるコンテンツの総合的な状態を容易に把握することができる。
【発明を実施するための最良の形態】
【００２４】
本発明のサイト管理システム及びサイト管理プログラムの実施形態について図面を用いて説明する。
【００２５】
図１は本発明の一実施形態におけるサイト管理システムの構成説明図であり、図２〜図５は本発明の一実施形態におけるサイト管理システム及びサイト管理プログラムの機能説明図である。
【００２６】
まず、本発明の一実施形態におけるサイト管理システムの構成について、図１を用いて説明する。
【００２７】
図１に示すサイト管理システムは、インターネットに接続され、且つ、本発明の「サイト管理プログラム」が格納されたサイト管理サーバ１００により構成されている。インターネットには、ウェブページ等のコンテンツを管理するウェブサーバ（第１、第２システム）２００と、コンテンツのアクセスログ情報を管理するログサーバ（第３システム）３００と、コンテンツへのアクセス機能等を備えたパソコン等の情報処理端末４００とが接続されている。
【００２８】
サイト管理サーバ１００は、第１処理ユニット１１１と、第２処理ユニット１１２と、第３処理ユニット１１３と、画像制御ユニット１２０とを備えている。各ユニットの機能は、サイト管理サーバ１００が、サイト管理プログラムから付与されたものである。また、各ユニットは、ハードウェアとしてのＣＰＵ、ＲＯＭ、ＲＡＭ、その他回路等により構成されている。
【００２９】
第１処理ユニット１１１は、ウェブサーバ（第１システム）２００との通信に基づき、ウェブサーバ２００により管理されている各コンテンツの「階位」を認識する。
【００３０】
第２処理ユニット１１２は、ウェブサーバ（第２システム）２００との通信に基づき、ウェブサーバ２００により管理されているコンテンツの「リンク状態」を認識する。リンク状態は、リンクやリンク経路の有無等により表される。
【００３１】
第３処理ユニット１１３は、ログサーバ（第３システム）３００との通信に基づき、ログサーバ３００により管理されているコンテンツの「アクセス頻度」を認識する。
【００３２】
画像制御ユニット１２０は、第１処理ユニット１１１、第２処理ユニット１１２及び第３処理ユニット１１３による認識事項に応じた画像を、情報処理端末４００のディスプレー４０１に表示させる。
【００３３】
ログサーバ３００は、ウェブサーバ２００に対するアクセスログをこのウェブサーバ２００から取得し、当該アクセスログを蓄積してアクセスログ情報を構築するとともに、当該アクセスログ情報を管理する。
【００３４】
情報処理端末４００は、ディスプレー（画像表示装置）４０１と、マウス４０２と、キーボード４０３とを備えている。
【００３５】
前記構成のサイト管理システムの機能について図２〜図５を用いて説明する。
【００３６】
まず、ウェブサーバ２００からサーバ１００に対して「コンテンツ情報」が送信された後（図２／矢印Ａ１）、第１処理ユニット１１１が「第１処理」を実行する（図２／Ｓ１１１）。具体的には、第１処理ユニット１１１が当該コンテンツ情報に基づき、コンテンツの所属するディレクトリ、及び代表コンテンツ及び非代表コンテンツの別等を認識する。「コンテンツ情報」はＨＴＭＬにより記述されており、コンテンツのインターネット上の存在場所（ＵＲＬ）や、コンテンツにリンクされている他のコンテンツ等の情報を含んでいる。
【００３７】
また、第１処理ユニット１１１がコンテンツの所属するディレクトリ、及び代表コンテンツ及び非代表コンテンツの別等に基づき、一定の規則に従ってコンテンツの「階位」を認識する。
【００３８】
この「規則」は、上位ディレクトリ内のコンテンツの階位が、この上位ディレクトリに従属する下位ディレクトリ内のコンテンツの階位よりも上位であり、且つ、ディレクトリの代表コンテンツの階位が、このディレクトリ内の他のコンテンツの階位より上位であるという規則である。
【００３９】
この規則の理解のため、図３（ａ）に示すように、最上位コンテンツ（トップページ）であるコンテンツＡ(URL:http://xx/index.html)と、コンテンツＢ(URL:http://xx/1.html)と、コンテンツＣ(URL:http://xx/2.html)とが同一のディレクトリに存在する場合の各コンテンツの階位を考える。ＵＲＬが「index.html」で記述されているコンテンツＡが当該ディレクトリの「代表コンテンツ」となる。
【００４０】
この場合、コンテンツＢ及びＣは、コンテンツＡと同一のディレクトリに存在しながら、非代表コンテンツ（ＵＲＬが「index.html」で記述されていないコンテンツ）なので、コンテンツＡよりも「１位」だけ下位となる。従って、最上位コンテンツであるコンテンツＡが第１位であり、コンテンツＢ及びＣは第２位となる。
【００４１】
また、図３（ｂ）に示すように、最上位コンテンツであるコンテンツＡ(URL:http://xx/index.html)が上位ディレクトリに存在し、コンテンツＢ’(URL:http://xx/yy/index.html)と、コンテンツＣ(URL:http://xx/2.html)とがともに１位だけ下位のディレクトリに存在する場合の各コンテンツの階位を考える。URLが「index.html」で記述されているコンテンツＡ及びＢがそれぞれ上位及び下位ディレクトリの「代表コンテンツ」となる。
【００４２】
この場合、コンテンツＢ’及びＣは、ともにコンテンツＡよりも１位だけ下位のディレクトリに存在するので、コンテンツＡよりも「１位」だけ下位となる。また、下位ディレクトリにおいて、コンテンツＢ’が代表コンテンツである一方、コンテンツＣは非代表コンテンツなので、コンテンツＣはコンテンツＢ’よりも「１位」だけ下位となる。従って、最上位コンテンツであるコンテンツＡが第１位であり、コンテンツＢ’は第２位、コンテンツＣが第３位となる。
【００４３】
また、ウェブサーバ２００からサーバ１００に対して「コンテンツ情報」が送信された後（図２／矢印Ａ２）、第２処理ユニット１１２が「第２処理」を実行する（図２／Ｓ１１２）。具体的には、第２処理ユニット１１２が当該コンテンツ情報に基づき、コンテンツの「リンク状態」を認識する。リンク状態には、コンテンツ間のリンクやリンク経路の有無等が含まれる。
【００４４】
さらに、ログサーバ３００からサーバ１００に対して「アクセスログ情報」が送信された後（図２／矢印Ａ３）、第３処理ユニット１１３が「第３処理」を実行する（図２／Ｓ１１３）。具体的には、第３処理ユニット１１３が当該アクセスログ情報に基づき、コンテンツの「アクセス頻度」を認識する。ログサーバ３００により管理されているアクセスログ情報は、ログサーバ３００が、ウェブサーバ２００に対する「アクセスログ」を当該ウェブサーバ２００から受信し（図２／矢印ａ３）、このアクセスログを蓄積して構築したものである。アクセスログ情報には、アクセスされた各コンテンツのＵＲＬ、アクセス開始時刻（ＩＮ）等の情報が含まれている。アクセス頻度は、アクセス回数や、１回あたりのアクセス継続平均時間そのもの、或いはアクセス回数が多くなるほど、アクセス継続平均時間が長くなるほど大きく算出されるパラメータによって表される。アクセス継続時間が認識される場合、第３処理ユニット１３０がアクセスログ情報に基づき、アクセス終了時刻（ＯＵＴ）を推定する。
【００４５】
そして、画像制御ユニット１２０が「画像制御処理」を実行する（図２／Ｓ１２０）。具体的には、画像制御ユニット１２０が「画像制御信号」を情報処理端末４００に送信する（図２／矢印Ａ４）。これにより、第１処理ユニット１１１により認識されたコンテンツの「階位」と、第２処理ユニット１１２により認識されたコンテンツの「リンク状態」と、第３処理ユニット１１３により認識されたコンテンツの「アクセス頻度」とが反映された画像が、当該情報処理端末４００のディスプレー４０１に表示される。
【００４６】
画像制御ユニット１２０により、ディスプレー４０１に表示される画像について、図４及び図５を用いて説明する。
【００４７】
ディスプレー４０１において、各コンテンツは、図４に示すように矩形状のアイコンＱ１，Ｑ２等により表されている。図４に示すように、アイコンＱ１〜Ｑ５，Ｑ１１〜Ｑ１５，Ｑ４１〜Ｑ４７により表されるアクセス頻度上位１７個のコンテンツがディスプレー４１に表示されている。また、図示しないが、各アイコンの内部にコンテンツのタイトルが表示される。
【００４８】
また、第１処理ユニット１１１により認識された階位に応じて、上位コンテンツが「上位アイコン」として表現され、下位コンテンツが「下位アイコン」として表現されている。具体的には、図４に示すように、アイコンＱ１，Ｑ４は上位アイコンとして表現され、アイコンＱ１１〜Ｑ１５，Ｑ４１〜Ｑ４７がアイコンＱ１，Ｑ４により表されている上位コンテンツよりも下位のコンテンツを表す下位アイコンとして表現されている。
【００４９】
さらに、第２処理ユニット１１２により認識されたリンク状態に応じて、上位アイコン及び下位アイコンにより表されているコンテンツ間のリンクの有無が、上位アイコン及び下位アイコンの位置で表現されている。具体的には、図４に示すように、上位アイコンＱ１により表されるコンテンツとリンクされている下位コンテンツを表す下位アイコンＱ１１〜Ｑ１５が、上位アイコンＱ１に包含される。
【００５０】
また、第３処理ユニット１１３により認識されたコンテンツのアクセス頻度に応じて、アクセス頻度が高いコンテンツを表すアイコンが優先的にディスプレー４０１に表示される。例えば、アイコンＱ３，Ｑ５により表されているコンテンツの階位が、アイコンＱ１により表されているコンテンツの階位よりも低いとしても、アクセス頻度が高ければ図４に示すようにディスプレー４０１にアイコンＱ１とともに表示され得る。アクセス頻度が高いコンテンツを表すアイコンが、ディスプレー４０１において上側且つ左側に優先的に表示されてもよい。
【００５１】
さらに、ディスプレー４０１に表示されるアイコンの数が、ユーザによる設定により設定されている。
【００５２】
図４に示す状態で、マウス（操作用手段）４０２の操作を通じてアイコンＱ１３がクリック（指定）された場合、画像制御ユニット１２０は、図５に示すような画像をディスプレー４０１に表示させる（図２／Ｓ１２０）。
【００５３】
図５に示す画像では、アイコンＱ１３により表されているコンテンツを最上位とし、アイコンＱ１３は最大のアイコンとして表現されている。また、アイコンＱ１３により表されているコンテンツにリンクされている下位のコンテンツを表す矩形状のアイコンＱ１３１〜Ｑ１３５が、アイコンＱ１３に包含されて表現されている。さらに、アイコンＱ１３１により表されているコンテンツにリンクされている下位のコンテンツを表す矩形状のアイコンＱ１３１１〜Ｑ１３１２が、アイコンＱ１３１に包含されて表現されている。また、アイコンＱ１３３により表されているコンテンツにリンクされている下位のコンテンツを表す矩形状のアイコンＱ１３３１〜Ｑ１３３３が、アイコンＱ１３３に包含されて表現されている。
【００５４】
また、図５の画像が表示される際にも、第３処理ユニット１１３により認識されるアクセス頻度が高いコンテンツを表すアイコンが優先的にディスプレー４１に表示される。
【００５５】
前記機能を発揮する本発明のサイト管理システムによれば、ユーザは、ディスプレー４１に表示された画像を通じて、サイトに置かれたコンテンツの階位、リンク状態、アクセス頻度により表されるコンテンツの総合的な状態を容易に把握することができる。
【００５６】
例えば、図４に示すような画像を通じて、ユーザは、アイコンＱ１〜Ｑ５，Ｑ１１〜Ｑ１５，Ｑ４１〜Ｑ４７により表される１７個のコンテンツが、アクセス頻度上位１７個のコンテンツであることを把握することができる。また、ユーザは、上位アイコンＱ１により表されているコンテンツが、上位アイコンＱ１に包含されている下位アイコンＱ１１〜Ｑ１５により表されているコンテンツよりも上位であることを把握することができる。さらに、ユーザは、上位アイコンＱ１により表されているコンテンツが、上位アイコンＱ１に包含されている下位アイコンＱ１１〜Ｑ１５により表されているコンテンツにリンクされていることを把握することができる。
【００５７】
また、図５に示すような画像を通じて、ユーザは、アイコンＱ１３により表されているコンテンツとのリンク経路がある下位コンテンツのうち、Ｑ１３１〜Ｑ１３５，Ｑ１３１１〜Ｑ１３１２，Ｑ１３３１〜Ｑ１３３３により表される１０個のコンテンツが、アクセス頻度上位１０個のコンテンツであることを把握することができる。また、ユーザは、上位アイコンＱ１３１により表されているコンテンツが、上位アイコンＱ１３１に包含されている下位アイコンＱ１３１１〜Ｑ１３１２により表されているコンテンツよりも上位であることを把握することができる。さらに、ユーザは、上位アイコンＱ１３１により表されているコンテンツが、上位アイコンＱ１３１に包含されている下位アイコンＱ１３３１〜Ｑ１３１２により表されているコンテンツにリンクされていることを把握することができる。
【００５８】
なお、前記実施形態ではサーバ１００と、ウェブサーバ２００と、ログサーバ３００と、情報処理端末４００とは別個のものであったが、他の実施形態としてサーバ１００と、ウェブサーバ２００、ログサーバ３００及び情報処理端末４００のうち一部又は全部とが共通の情報処理端末により構成されてもよい。また、ウェブサーバ２００及びログサーバ３００が共通のサーバにより構成されていてもよい。
【００５９】
前記実施形態ではディレクトリの階位と、代表コンテンツ及び非代表コンテンツの別とに基づきコンテンツの階位が認識されたが（図２／Ｓ１１１、図３参照）、他の実施形態としてディレクトリの階位のみによってコンテンツの階位が決定（認識）されてもよい。この場合、ディレクトリの構造が第１アイコンの色彩等により表現されてもよい。また、第１位コンテンツ（トップページ）からのアクセス数等、種々の基準によってコンテンツの階位が認識されてもよい。
【００６０】
また、前記実施形態ではコンテンツが矩形状のアイコンにより表現されたが、他の実施形態として円形、三角形、台形等の他の２次元形状のアイコンや、立方体、円盤体、円錐体等、３次元形状のアイコン等、さまざまな形状のアイコンにより表現されてもよい。
【図面の簡単な説明】
【００６１】
【図１】本発明の一実施形態におけるサイト管理システムの構成説明図
【図２】本発明の一実施形態におけるサイト管理システムの機能説明図
【図３】本発明の一実施形態におけるサイト管理システムの機能説明図
【図４】本発明の一実施形態におけるサイト管理システムの機能説明図
【図５】本発明の一実施形態におけるサイト管理システムの機能説明図
【符号の説明】
【００６２】
１００‥サイト管理サーバ（サイト管理システム）、１１１‥第１処理ユニット、１１２‥第２処理ユニット、１１３‥第３処理ユニット、１２０‥画像制御ユニット、２００‥ウェブサーバ（第１、第２システム）、３００‥ログサーバ、４００‥情報処理端末、４０１‥ディスプレー（画像表示装置）、４０２‥マウス（操作用手段）、４０３‥キーボード
【図１】
2005293254.tif 000003
【図２】
2005293254.tif 000004
【図３】
2005293254.tif 000005
【図４】
2005293254.tif 000006
【図５】
2005293254.tif 000007